(57)【要約】【課題】燃料電池の低温環境における出力特性の低下と連続動作により発生する熱の影響を防止して安定して電力を供給する。【解決手段】燃料電池スタック３を、断熱材で形成され、上面と下面に複数の開口１５を有するカバー１４で覆い、カバー１４の開口１５に、熱により変位して開閉動作を行う熱制御部１７を有する開閉部１６を設ける。燃料電池スタック３が動作時に発生する熱により熱制御部１７でカバー１４の開口１５の開閉制御を行い、燃料電池スタック３の動作前は、燃料電池スタック３を外気から断熱し、燃料電池スタック３が動作して温度上昇したときに燃料電池スタック３の周囲の加熱空気を外気に排出して、電力を使用せずに燃料電池スタック３の保温と過度の温度上昇を防ぐ。【選択図】    図２
2006252785.tif 000002
【特許請求の範囲】
【請求項１】
燃料電池を有する電源装置において、
断熱材で形成され、対向する両面にそれぞれ複数の開口を有し、前記燃料電池を覆うカバーと、該カバーの開口を開閉する開閉部とを有し、該開閉部には熱により変位して開閉動作を行う熱制御部を有することを特徴とする電源装置。
【請求項２】
前記カバーは燃料電池と共に燃料供給部分を覆う請求項１記載の電源装置。
【請求項３】
前記熱制御部は、あらかじめ設定された温度を超えたとき、カバーの開口を開にさせ、あらかじめ設定された温度を未満になったとき、カバーの開口を閉にさせる請求項１又は２に記載の電源装置。
【請求項４】
前記熱制御部はバイメタルを有する請求項１乃至３のいずれかに記載の電源装置。
【請求項５】
前記熱制御部は、形状記憶合金ばねと金属製のバイアスばねとで構成した自動アクチュエータを有する請求項１乃至３のいずれかに記載の電源装置。
【請求項６】
前記カバーの一方の面に設けた開口に外気を導入する送風ファンを有する請求項１乃至５のいずれかに記載の電源装置。
【請求項７】
前記開閉部が開動作をしたときに導通し、開閉部が閉動作をしたときに非導通となるスイッチを有し、該スイッチで送風ファンの動作を制御する請求項６記載の電源装置。
【請求項８】
請求項１乃至７のいずれかに記載の電源装置を有することを特徴とする電子・電気機器。
【発明の詳細な説明】
【技術分野】
【０００１】
この発明は、燃料電池を使用して各種装置に電力を供給する電源装置及びそれを使用した画像形成装置等の電子・電気機器、特に立ち上がり特性と出力効率の向上に関するものである。
【背景技術】
【０００２】
近年、環境問題並びにエネルギ問題の観点から自動車や各種装置の電源として燃料電池の開発が活発化している。この燃料電池の種類としては、水素と空気もしくは酸素を燃料とする固体高分子型燃料電池あるいはリン酸電解質型燃料電池が主流であるが、メタノールと空気もしくは酸素を燃料とする直接メタノール型燃料電池（以下、ＤＭＦＣ；Direct Methanol Fuel Cellという）もあり、比較的安価で取り扱いも容易であることから、携帯機器などの小型機器の電源への利用が図られている。
【０００３】
ＤＭＦＣは、通常、高濃度のメタ−ノールが収容される燃料タンクと、燃料タンクのメタノールを水によって希釈する混合タンクと、混合タンクで希釈されたメタノールを燃料電池のアノード側に圧送する送液ポンプ及び燃料電池のカソード側に空気を送る送気ポンプなどによって構成されている。メタノールと空気とが送り込まれた燃料電池では、メタノールと空気（酸素）の化学反応によりアノードとカソードとの間に電力が生じるとともに、アノード側には二酸化炭素が発生し、カソード側には水が発生する。アノード側で発生した二酸化炭素とカソード側で発生した水とは混合タンクに戻される。そして、発生した水は燃料タンクから送られてくるメタノールを希釈するために用いられ、余分な水は水蒸気として、二酸化炭素とともに混合タンクから排出される。このＤＭＦＣでは、アクティブ型とパッシブ型があり、アクティブ型は燃料となるメタノールや空気を送液ポンプや送気ポンプを使用して燃料電池に供給して循環させる方式であり、構成が比較的複雑であるが大きな電力を得やすいという特長がある。パッシブ型は燃料も空気も対流や濃度勾配等を利用して供給するため構成が単純で小型化に適しているが、得られる電力が小さく、希釈した燃料を用いるため燃料カートリッジが大きくなる。
【０００４】
このような燃料電池の特性上の問題として、低温環境では起動から安定した出力が得られるようになるまで時間がかかってしまう。このため燃料電池と送液ポンプや送気ポンプ及び混合タンク等の補機類とを予熱するなどの工夫が行われ、特許文献１に示すように、燃料電池と補機類を断熱材で覆い予熱効率を向上させるようにしている。
【０００５】
一方、燃料電池における化学反応は発熱反応であるため、連続動作により温度が上昇してくる。この際、特許文献１に示すように、燃料電池や補機類を断熱材で覆っておくと、断熱材で覆われた内部の熱を外部に放熱することができず、燃料電池を損傷させるおそれがある。
【０００６】
このような動作時における発熱による電池本体の劣化は２次電池でも発生し、これらを防止するため、特許文献２に示す電池の熱制御装置は、電池の充放電によって発生する熱を発散する放熱部の電池と対向する面に熱伝導シートを設け、この放熱部に温度変化により形状が変化するバイメタルを連結し、温度が２０℃以下のときにはバイメタルで放熱部を電池とは反対側に移動して熱伝導シートを電池から離して放熱を防ぎ、温度が２０℃を超えたときバイメタルの湾曲により放熱部の熱伝導シートを電池に接触させて電池で発生する熱を熱伝導シートから放熱部に伝達して電池が異常に高温になることを防いでいる。
【特許文献１】特開２００３−１５１５９５号公報
【特許文献２】特開２００４−１１１３７０号公報
【発明の開示】
【発明が解決しようとする課題】
【０００７】
この特許文献２に示された熱制御装置を特許文献１に示すように燃料電池と補機類を断熱材で覆った電源装置に適用して、燃料電池で発生した熱を燃料電池の表面の一部から放熱部に伝達して放熱しても、燃料電池の発熱反応により内部に発生した熱を外部に効率よく放熱することはできず、連続動作により発生する熱の影響を防止することはできなかった。
【０００８】
この発明は、このような短所を改善し、燃料電池の低温環境における出力特性の低下と連続動作により発生する熱の影響を防止して安定して電力を供給できる電源装置とそれを使用した電子・電気機器を提供することを目的とするものである。
【課題を解決するための手段】
【０００９】
この発明の電源装置は、燃料電池を有する電源装置において、断熱材で形成され、対向する両面にそれぞれ複数の開口を有し、前記燃料電池を覆うカバーと、該カバーの開口を開閉する開閉部とを有し、該開閉部には熱により変位して開閉動作を行う熱制御部を有することを特徴とする。
【００１０】
前記カバーは燃料電池と共に燃料供給部分を覆うことが望ましい。
【００１１】
また、前記熱制御部は、あらかじめ設定された温度を超えたとき、カバーの開口を開にさせ、あらかじめ設定された温度を未満になったとき、カバーの開口を閉にさせる。
【００１２】
この熱制御部は熱応答手段としてバイメタルを有したり形状記憶合金ばねと金属製のバイアスばねとで構成した自動アクチュエータを有する。
【００１３】
また、カバーの一方の面に設けた開口に外気を導入する送風ファンを有すると良い。
【００１４】
さらに、開閉部が開動作をしたときに導通し、開閉部が閉動作をしたときに非導通となるスイッチで送風ファンの動作を制御すると良い。
【００１５】
この発明の電子・電気機器は、前記電源装置を有することを特徴とする。
【発明の効果】
【００１６】
この発明は、燃料電池を断熱材で形成され、対向する両面にそれぞれ複数の開口を有するカバーで覆い、カバーの開口に、熱により変位して開閉動作を行う熱制御部を有する開閉部を設け、燃料電池が動作時に発生する熱により熱制御部でカバーの開口の開閉制御を行うことにより、燃料電池の動作前は、燃料電池を外気から断熱し、燃料電池が動作して温度上昇したときに燃料電池の周囲の加熱空気を外気に排出するから、電力を使用せずに燃料電池の保温と過度の温度上昇を防ぐことができ、燃料電池の出力効率を向上することができる。
【００１７】
また、燃料電池と共に燃料供給部分を断熱材で形成したカバーで覆うことにより、燃料電池の動作前の断熱効果をより向上することができる。
【００１８】
さらに、熱制御部は、あらかじめ設定された温度を超えたときカバーの開口を開にさせ、あらかじめ設定された温度を未満になったときカバーの開口を閉にさせることにより、燃料電池が起動してから設定温度に達するまで、燃料電池を外気から断熱するから、燃料電池が起動したときの温度上昇を促進することができ、起動から安定した電力を出力するまでの時間を短縮させることができるとともに、燃料電池が動作して設定温度を越えたとき、燃料電池の周囲の加熱空気を外気に排出して燃料電池全体から熱を奪うから、燃料電池の過度の温度上昇を抑制して燃料電池自体が損傷することを防止できる。
【００１９】
また、熱制御部は熱応答手段としてバイメタルを有することにより、簡単な構成でカバーの開口の開閉制御を行うことができる。
【００２０】
また、熱制御部は熱応答手段として形状記憶合金ばねと金属製のバイアスばねとで構成した自動アクチュエータを有することにより、開閉動作の温度応答性や開放量をより向上することができ、燃料電池が起動したときの温度上昇をより促進するとともに燃料電池の過度の温度上昇を安定して抑制することができる。
【００２１】
さらに、カバーの一方の面に設けた開口に外気を導入する送風ファンを設け、開閉部の開閉動作に応じて送風ファンの駆動を制御して燃料電池を強制空冷することにより、燃料電池を長時間動作させても、その温度が過度に上昇することを防ぐことができ、燃料電池を長時間安定して駆動することができる。
【００２２】
この送風ファンの駆動を開閉部が開動作をしたときに導通し、開閉部が閉動作をしたときに非導通となるスイッチの動作で制御することにより、簡単な構成で送風ファンの駆動を制御することができる。
【００２３】
この電源装置を画像形成装置等の電子・電気機器に使用することにより、電子・電気機器を短時間で安定して動作させることができるとともに長期間の動作を安定して行うことができる。
【発明を実施するための最良の形態】
【００２４】
図１はこの発明の電源装置の構成図である。図に示すように、電源装置１は電子・電気機器、例えば複写機やプリンタ装置等の画像形成装置２に電力を供給するものであり、燃料電池スタック３と燃料タンク４と送液ポンプ５と濃度調整部６と燃料供給ポンプ７と空気ポンプ８と凝縮器９と貯水部１０及び送水ポンプ１１を有する。燃料電池スタック３はメタノールを燃料としたＤＭＦＣを使用している。燃料タンク４には高濃度のメタノールが収容されている。送液ポンプ５は燃料タンク４に収容されているメタノールを濃度調整部６に供給する。濃度調整部６は供給されたメタノールを燃料電池スタック３から還流する溶媒としての水によって所定の濃度に希釈する。なお、初期状態においては、濃度調整部６にはあらかじめ希釈されたメタノールが収容されていている。燃料供給ポンプ７は濃度調整部６で希釈されたメタノールを燃料電池スタック３のアノード３ａ側に供給する。空気ポンプ８は燃料電池スタック３のカソード３ｃ側に空気（酸素）を供給する。
【００２５】
燃料電池スタック３は、アノード３ａに供給されたメタノールとカソード３ｃに供給された空気（酸素）がアノード３ａとカソード３ｃの間に設けられた電解質膜で反応し、アノード３ａとカソード３ｃとの間に電力を発生する。この発生した電力を電子・電気機器、例えば画像形成装置２に供給する。
【００２６】
この燃料電池スタック３でメタノールと空気が反応するとき、アノード３ａ側には二酸化炭素が生成され、カソード３ｃ側には水が水蒸気として生成される。アノード３ａ側に生成した二酸化炭素は燃料電池スタック３から排液管を通じて濃度調整部６に導入され、カソード３ｃ側に生じた水蒸気は排気管を通じて凝縮器９に導入され冷却されて液化され、液化された水は貯水部１０に蓄えられる。このように燃料電池スタック３のカソード３ｃ側で生成した水蒸気を凝縮器９によって冷却して液化することにより、液体として生成水を蓄えることが可能になっている。
【００２７】
貯水部１０に蓄えられた水は必要に応じて送液ポンプ１１によって濃度調整部６に供給され、燃料タンク４から供給される高濃度のメタノールを希釈する。このように貯水部１０から必要に応じて濃度調整部６に水を供給するから濃度調整部６へ燃料であるメタノールを希釈するため大量の水を収容した水タンクを使用しなくてすむ。また、濃度調整部６でメタノールを希釈するから、燃料タンク４に高濃度のメタノールを収納することができ、燃料タンク４の容量を小さくすることができる。
【００２８】
この電源装置１の燃料電池スタック３は例えばグラスウールや発泡ウレタンなどの断熱材で形成されたカバー１４で覆われている。このカバー１４は、図２の断面図に示すように、対向する面例えば上面と下面に複数の開口１５を有し、各開口１５には開閉部１６を有する。各開閉部１６には、熱により変位して開閉動作を行う熱制御部１７を有する。この熱制御部１７は、例えば熱膨張率が異なる２種類の金属の薄板を貼り合わせて熱により形状を変形するバイメタル１８で構成している。この開閉部１６の熱制御部１７を構成するバイメタル１８は高膨張側がカバー１４の内側になるように配置され、所定の温度までは、図２（ａ）に示すように、開閉部１６に対してカバー１４の内側に向かう力を加えて開閉部１６で各開口１５を閉じている。このように所定の温度までは開閉部１６で各開口１５を閉じて燃料電池スタック３を断熱材で形成したカバー１４で覆っているから、電源装置１が起動して燃料電池スタック３の反応を開始したときに、燃料電池スタック３の温度上昇を促進させて安定状態への移行を加速することができ、燃料電池スタック３の出力が安定するまでの時間を短縮することができ、画像形成装置２に短時間で安定した電力を供給することができる。
【００２９】
燃料電池スタック３が動作して燃料電池が温度上昇してカバー１４内の温度が上昇するにしたがって開閉部１６に有するバイメタル１８は両面の熱膨張率の差により次第にカバー１４の外側に変形し、あらかじめ定めた所定の温度、例えば５０℃〜６０℃に達すると図２（ｂ）に示すように、カバー１４の開口１５を完全に開放状態にする。このように燃料電池スタック３を覆ったカバー１４の開口１５を開放状態にして、カバー１４内の高温空気を外部に放出し、外部の低温空気を内部に導入することにより、燃料電池スタック３の表面全体から熱を奪うことができ、発生した熱を効率良く放熱して燃料電池が異常に高温になることを防ぐことができ、燃料電池スタック３から画像形成装置２に安定した電力を供給することができる。
【００３０】
この燃料電池で発生した熱を外部に放熱するとき、図２に示すようにカバー１４の上面と下面に開口１５を設けることにより、自然対流により燃料電池で発生した熱で加熱された空気を上面の開口１５からカバー１４の外部に送り出し、下面の開口１５から外部の空気をカバー１４内に取り込むことができ、カバー１４内の熱を効率良く放熱することができる。
【００３１】
また、開閉部１６を燃料電池スタック３で発生した熱によるバイメタル１８の変形により開閉部１６の開閉動作を行うから、開閉部１６の開閉動作に燃料電池スタック３で発生している電力を使用する必要がなく、燃料電池スタック３で発生した電力を有効に利用することができる。
【００３２】
この開閉部１６の開閉動作を行うバイメタル１８の熱による湾曲係数は、構成する２種類の金属により異なり、平板状に形成した場合は、厚さと幅及び長さによっては温度差が３０度程度で変位量は１ｍｍ程度になってしまう。そこで湾曲係数が多きい材質のバイメタル１８を選択すると共に、その厚さと幅及び長さや形状を適切に選択することにより開閉部１６を開閉するために必要な変位量を得ることができる。例えば図３に示すように、バイメタル１８の形状を渦巻き状にしたり、Ｕ字状にすることにより、大きな変位角αを得ることができる。
【００３３】
前記説明では開閉部１６の開閉動作を行う熱制御部１７の熱応答媒体としてバイメタル１８を使用した場合について説明したが、熱制御部１７の熱応答媒体に形状記憶合金を使用しても良い。形状記憶合金の低温マルテンサイト相は高温のオーステナイト相より著しく柔らかいので、形状記憶合金の応力と伸びの関係は、図４に示すように、高温特性Ａと低温特性Ｍを示す。この高温相の応力σＡと低温相の応力σＭの中間にバイアス応力σＢを設定すると、低温時には（σＢ−σＭ）の力が得られ、高温時には（σＡ−σＢ）と低温時とは逆向きの力が得られる。この作動温度は形状記憶合金の変態温度とバイアス力によって任意に調整することができる。この形状記憶合金の性質を利用すると、図５に示すように、例えば変態温度が２０℃〜１００℃のＮｉ−Ｔｉ合金や変態温度が４０℃〜１００℃のＮｉ−Ｔｉ−Ｃｕ合金等の形状記憶合金で形成した形状記憶合金ばね１９と、通常の金属、例えばステンレスで形成したバイアスばね２０とを移動ブロック２１を挟んで対向させた自動アクチュエータ２２を構成することができ、この自動アクチュエータ２２の移動ブロック２１の中心部に設けられた１対のアーム２３に取付けた軸２４と嵌合するガイド溝２５を有し、開閉部１６に取付けられた揺動アーム２６及びカバー１４の外周面で開口１５の近傍に取付けられたストッパー２７で熱制御部１７を構成しても良い。
【００３４】
この場合、カバー１４内が低温時には、形状記憶合金ばね１９は、変態温度より低い温度の状態、すなわちマルテンサイト相であり発生力が小さいので通常の金属で形成去れたバイアスばね２０力に負けて開閉部１６に取付けられた揺動アーム２６がバイアスばね２０側に引かれて、図５（ａ）に示すように、開閉部１６で開口１５を閉鎖状態にする。カバー１４内が温度上昇して、所定の温度に達すると、形状記憶合金ばね１９はオーステナイト相（母相）になりバイアスばね２０より強い力を発生して開閉部１６の揺動アーム２６形状記憶合金ばね２９側に引かれて、図５（ｂ）に示すように、開閉部１６で開口１５を開放状態にする。このようにバイアスばね２０のばね定数を形状記憶合金ばね１９の高温時よりも低く、低温時よりも高く設定しておくことにより、開閉部１６の開閉動作を行うことができる。この開閉部１６で開閉動作を行うとき、形状記憶合金ばね１９の温度による変形量は大きいので開閉量を十分に取ることができる。また、変態温度を燃料電池の安定状態の温度５０℃〜６０℃に設定することにより、カバー１４内の温度が燃料電池の安定状態の温度に達したときに開口１５を開くことができる。さらに、形状記憶ばね１９を使用した自動アクチュエータ２２は動作の温度応答性がよく、変態温度に達すると迅速に開閉部１６の開閉動作を行うから、カバー１４の内部が十分に温度上昇するまで断熱状態を維持することができ、低温時に燃料電池スタック３を迅速に安定状態にすることができる。
【００３５】
前記説明では自動アクチュエータ２２を引張ばねからなる形状記憶合金ばね１９とバイアスばね２０で構成した場合について説明したが、形状記憶合金ばね１９とバイアスばね２０を圧縮ばねで構成しても良い。
【００３６】
また、燃料電池スタック３を構成する燃料電池は、液体燃料をアノード極３ａ側に供給し、ここで水素を取り出してカソード極３ｂ側に供給される空気中の酸素と反応させている。このため燃料の温度が低いと，これが冷却液として燃料電池スタック３を冷却してしまう。そこで、燃料供給部分も燃料電池スタック３とともにカバー１４で覆うと良い。例えば燃料を希釈循環させる機能を持たないパッシブ型の場合は、図６に示すように、燃料タンク４ａと燃料電池スタック３をカバー１４で覆い、燃料電池スタック３に濃度調整した燃料を供給するアクティブ型の場合は、図７に示すように、燃料タンク４と送液ポンプ５と濃度調整部６と燃料供給ポンプ７と送水ポンプ１１を燃料電池スタック３とともにカバー１４で覆う。このように燃料供給部分も燃料電池スタック３とともに断熱材で形成したカバーで覆うことにより、燃料電池スタック３で発生する反応熱により燃料供給部分の温度上昇を促進することができ、低温時に燃料電池スタック３をより迅速に安定状態にすることができる。
【００３７】
この濃度調整部６を有するアクティブ型の場合は、カソード３ｃ側で生成水として発生する水蒸気を冷却して再利用して濃度調整を行うことにより、燃料タンク４に高濃度の燃料を使用することができる。このためカソード３ｃ側で発生する水蒸気を冷却する凝縮器９の能力が十分でないと、燃料を希釈するための水が不足してシステムが成立しなくなる。そこで、図７に示すように、凝縮器９をカバー１４の外部に配置し、凝縮器９の放熱フィン９ａを外気により冷却して、凝縮器９の冷却効果を高める。この凝縮器９で冷却して生成した水を蓄える貯水部１０は必ずしもカバー１４の外部に設ける必要はないが、凝縮器９で冷却された水がカバー１４内に戻り内部の温度を低下させてしまうおそれがあるのと、空気ポンプ８からの送風された空気及びアノード３ａ側で発生した二酸化炭素を排出することが必要であるため、図７に示すように、貯水部１０もカバー１４の外部に配置し、濃度度調整部６の空気及び二酸化炭素の排気管を貯水部１０の排気口１３に接続して、凝縮器９で冷却された水がカバー１４内に戻る事を防ぐとともに空気ポンプ８からの送風された空気及びアノード３ａ側で発生した二酸化炭素を外部に排出し、低温時におけるカバー１４の断熱効果を高める。
【００３８】
前記説明では、燃料電池スタック３あるいは燃料電池スタック３と燃料供給部分を覆ったカバー１４内が高温時に、カバー１４の上下に設けた開口１５を開閉部１６で開状態にして自然対流を利用してカバー１４内の加熱空気を外部に排出して、カバー１４内の温度が高温になることを防いだ場合について説明したが、図８に示すように、カバー１４の外気の導入側に送風ファン３０を設け、カバー１４の開口１５を開閉部１６で開にした後、送風ファン３０を駆動してカバー１４内に外気を強制的に導入してカバー１４内を強制空冷しても良い。この送風ファン３０としては専用のものを設けても良いが、凝縮器９で使用しているファン等を利用してカバー１４内に強制的な空気流を加えるようにしても良い。このようにカバー１４内を強制空冷することにより、電源装置１を長時間動作させてもカバー１４内の温度が過度に上昇することを防ぐことができ、電源装置１を長時間安定して駆動することができる。
【００３９】
この送風ファン３０として専用のファンを設けた場合、開閉部１６の開閉動作に応じて送風ファン３０の駆動を制御する必要がある。そこでカバー１４の内部に温度検出手段を設け、カバー１４の内部温度を検出して送風ファン３０を駆動しても良いが、開閉部１６の一部、例えば図９に示すように、形状記憶ばね１９を使用した自動アクチュエータ２２を有する熱制御部１７のいずれかのストッパー２７の位置にスイッチ３１を設け、開閉部１６の開閉動作によりスイッチ３１をオン・オフして送風ファン３０の駆動を制御することにより、簡単な構成で送風ファン３０の駆動を制御することができる。また、送風ファン３０の駆動に電力を使用するが、燃料電池スタック３が高温時だけ送風ファン３０を駆動するから、燃料電池スタック３から出力する電力で送風ファン３０を駆動しても、燃料電池スタック３が安定して電力を供給できる状態であるので、画像形成装置２に供給する電力に対して比較的影響を少なくすることができる。
【図面の簡単な説明】
【００４０】
【図１】この発明の電源装置の構成図である。
【図２】燃料電池スタックを覆うカバーと開閉部を示す断面図である。
【図３】開閉部の熱制御部を形成するバイメタルの形状を示す構成図である。
【図４】形状記憶合金の伸びと応力の変化特性図である。
【図５】形状記憶合金を使用した熱制御部の構成図である。
【図６】燃料電池スタックと燃料供給部分をカバーで覆った電源装置の構成図である。
【図７】燃料電池スタックと燃料供給部分をカバーで覆った他の電源装置の構成図である。
【図８】カバー内を強制冷却する送風ファンを有する電源装置の構成図である。
【図９】送風ファンの駆動を制御するスイッチを有する開閉部の構成図である。
【符号の説明】
【００４１】
１；電源装置、２；画像形成装置、３；燃料電池スタック、４；燃料タンク、
５；送液ポンプ、６；濃度調整部、７；燃料供給ポンプ、８；空気ポンプ、
９；凝縮器、１０；貯水部、１１；送水ポンプ、１２，１３；排気口、
１４；カバー、１５；開口、１６；開閉部、１７；熱制御部、１８；バイメタル、
１９；形状記憶合金ばね、２０；バイアスばね、２１；移動ブロック、
２２；自動アクチュエータ、２３；アーム、２４；軸、２５；ガイド溝、
２６；揺動アーム、２７；ストッパー、３０；送風ファン、３１；スイッチ。
【図１】
2006252785.tif 000003
【図２】
2006252785.tif 000004
【図３】
2006252785.tif 000005
【図４】
2006252785.tif 000006
【図５】
2006252785.tif 000007
【図６】
2006252785.tif 000008
【図７】
2006252785.tif 000009
【図８】
2006252785.tif 000010
【図９】
2006252785.tif 000011